(57)【要約】  【課題】  所定の掛け軸に諸種の寸法を有する各種の絵葉書を自由、且つ、容易に交換可能に装着する。  【解決手段】  この発明は上記課題を解決するために掛け軸２の表地６ａ表面に添設する如く、該表地６ａ表面の横方向へ透明糸１０を延設し、且つ、該透明糸１０の両端部を掛け軸２の表地６ａより裏地６ｂ方向へ挿入する等して、該透明糸１０の両端部を掛け軸２の基地６に固定すると共に、該透明糸１０の下方部であって、且つ、横方向へ浅い受溝１２が設けられている絵葉書等の掛け軸を提供する。【選択図】図１
2006325858.tif 000002
【特許請求の範囲】
【請求項１】
掛け軸の表地表面に添設する如く、該表地表面の横方向へ透明糸を延設し、且つ、該透明糸の両端部を掛け軸の表地より裏地方向へ挿入する等して、該透明糸の両端部を掛け軸の基地に固定すると共に、該透明糸の下方部であって、且つ、横方向へ浅い受溝が設けられていることを特徴とする絵葉書等の掛け軸。
【請求項２】
上記透明糸は長さを異にして上下に複数段設けられていることを特徴とする請求項１記載の絵葉書等の掛け軸。
【請求項３】
上記受溝は掛け軸の表地を折り返し、且つ、該折り返し部の両端部を貼着し、その中間部に該受溝が形成されていることを特徴とする請求項１記載の絵葉書等の掛け軸。
【発明の詳細な説明】
【技術分野】
【０００１】
本発明は絵葉書等の掛け軸に関するものであり、特に、写真、絵等の各種の模様、文字等を描写した絵葉書又はクリスマスカード、その他写真等を掛け軸に装着して成る絵葉書等の掛け軸に関するものである。
【背景技術】
【０００２】
従来、此種絵葉書等の掛け軸を図６に従って説明する。同図は絵葉書１の掛着部分を図示した掛け軸２を示し、同図（ａ）は掛け軸２の表地３の任意の個所に相互に内側面を解放した三角形状の袋地４，４，４，４を方形の隅部に装着した状態を示す。絵葉書１は方形の四隅に装着された袋地４，４，４，４の前記解放面から該絵葉書１の角部を挿入して該絵葉書を掛け軸１に装着して展示する。
【０００３】
又、同図（ｂ）は表地３の任意の個所の方形状の四隅に糸５，５，５，５を斜めに装着した状態を示す。そこで、前記絵葉書１はその角部を該糸５，５，５，５に掛止されることにより該絵葉書１が掛け軸２に展示される。
【０００４】
同図（ｃ）は表地３の任意の個所の方形状の四隅に斜めに切欠した溝４ａ，４ａ，４ａ，４ａを設けた状態を示す。絵葉書１はその四隅を該溝４ａ，４ａ，４ａ，４ａに挿入されて掛け軸２に装着される。
【０００５】
又、掛け軸の基地に所定のサイズの開放部を設け、該開放部に磁石を配設し、且つ、該開放部から展示物を露出せしめて該展示物を展示できるように構成された掛け軸も提案されている。而して、該掛け軸は絵画等の展示物を交換して展示できるように構成されている。（例えば、特許文献１参照）
【特許文献１】実開平７−５４６４号公報
【発明の開示】
【発明が解決しようとする課題】
【０００６】
上記従来例は何れも掛け軸に絵葉書等の展示物が交換可能に装着されるのであるが、之等展示物はすべて一定形状及びサイズを有する絵葉書についてのみ適用されるものであり、従って、所定の掛け軸に他の形状及びサイズを有する絵葉書を装着することができない。
【０００７】
そこで、所定の掛け軸に任意の寸法及び形状を有する絵葉書を自由且つ、容易に交換可能に装着するために解決せられるべき技術的課題が生じてくるのであり、本発明は該課題を解決することを目的とする。
【課題を解決するための手段】
【０００８】
本発明は上記目的を達成するために提案されたものであり、請求項１記載の発明は、掛け軸の表地表面に添設する如く、該表地表面の横方向へ透明糸を延設し、且つ、該透明糸の両端部を掛け軸の表地より裏地方向へ挿入する等して、該透明糸の両端部を掛け軸の基地に固定すると共に、該透明糸の下方部であって、且つ、横方向へ浅い受溝が設けられている絵葉書等の掛け軸を提供するものである。
【０００９】
この構成によれば、各種模様、図形、文字等を描写した絵葉書はその下辺を掛け軸の表紙横方向へ設けられている浅い受溝に係止し、更に、その上方部を透明糸の内側面に挿入されることにより、掛け軸に整然、且つ、容易に装着されることになる。
【００１０】
請求項２記載の発明は上記透明糸は長さを異にして上下に複数段設けられている絵葉書等の掛け軸を提供するものである。
【００１１】
この構成によれば、上記透明糸は長さを異にして上下に複数段配設されているので、各種寸法の絵葉書が掛け軸に自在且つ、容易に装着されることになる。
【００１２】
請求項３記載の発明は、上記受溝は掛け軸の表地を折り返し、且つ、該折り返し部の両端部を貼着し、その中間部に該受溝が形成されている絵葉書等の掛け軸を提供するものである。
【００１３】
この構成によれば、受溝の形成が掛け軸の表地を折り返し、且つ、この折り返し部の左右両端部を貼着することによりその中間部に絵葉書の下辺部を挿入して該絵葉書を掛け軸に係止することができる。
【発明の効果】
【００１４】
本願発明は各種模様、色彩、文字、図形等を描写したクリスマスカード、絵葉書、その他写真であって、且つ、任意の形状、サイズを有する絵葉書の下辺を掛け軸に設けられた浅い受溝に係止し、そして、該絵葉書等の上方部を透明糸の内側面に挿入して該透明糸にて該絵葉書等の上方部を係止するので、該絵葉書等は下辺と上方部が掛け軸の表地表面に装着されることができる。特に、前記受講及び透明系の長さを充分にとることにより、各種寸法の絵葉書を容易且つ、交換可能に装着することができる。而も、該絵葉書等の前記装着又は取外し操作も極めて容易に実施され、且つ、前記透明糸は絵葉書面の模様、図形、文字等の表示を阻害することはない。
【００１５】
更に又、該透明糸を上下に長さを異にして複数段配設することにより、更に、多種多様の絵葉書を自在に整然と装着し、又は交換することが可能となる。
【００１６】
又、前記浅い受溝を表地の折り返しによって形成することにより該受溝の形成が容易であり、従って、本願発明は全体として生産コストが低く、且つ、あらゆる寸法の絵葉書等も掛け軸に交換自在に装着することが可能となる等、極めて著大なる効果を奏する発明である。
【発明を実施するための最良の形態】
【００１７】
本発明は任意の寸法を有する絵葉書等を交換可能に掛け軸に装着させると云う目的を掛け軸の表地表面に添設する如く、該表地表面の横方向へ透明糸を延設し、且つ、該透明糸の両端部を掛け軸の表地より裏地方向へ挿入する等して該透明糸の両端部を掛け軸の基地に固定すると共に、該透明糸の下方部であって、且つ、横方向へ浅い受溝が設けられていることを特徴とする絵葉書等の掛け軸を提供することによって実現した。
【実施例】
【００１８】
以下、本発明の好適な実施例を図１乃至図５に従って詳述する。
【００１９】
尚、図６の従来例の構成部分と共通する部分は同一符号を付す。図において１は各種模様、図形、色彩、文字等が描写された絵葉書を示す。この絵葉書１は掛け軸２に展示される。該掛け軸２は一般に用いられるものであって特定されるものではない。即ち、表地６ａと裏地６ｂからなる基地６を有し、該基地６の上端部に上軸７が装着され、下端部に下軸８が取付けられている。又、前記上軸７には紐９が取付けられ、掛け軸２の基地６を下軸８に巻装して収納する際における掛け軸２の結縛用として用いられる。
【００２０】
而して、上記表地６ａの表面には横方向へ向かって透明糸１０が添設されている。該透明糸１０は透明体から成るが特にその材質を限定するものではない。即ち、透明性であって、且つ、線状に形成されるので、絵葉書１の上方部が該透明糸１０と表地６ａとの間に挿入されて掛止されるとき、該透明糸１０によって視覚的感覚が阻害されることがないものであればよい。而も、該透明糸１０は一本であってもよく、又、複数本を上下に並設した状態で配設されてもよいが、夫々の長さは異なるものが採択される。然るときは、前記絵葉書１は図４及び図５に示すように種々の寸法のものに適応される。図１においては該透明糸１０は下方部に長いものを配設し、そして、その上方部に短いものが配設されているが、之に限定せられるべきではない。
【００２１】
又、図１に示すように、上下二本の透明糸１０，１０を配設する場合は一本の透明糸１０の両端部を例えば表地６ａに添設してその両端部を該表地６ａから裏地６ｂに向かって挿入し、そして、図３に示すように該表地６ａの裏面において少なくとも一方の余端部をたすき掛け状に延設して、該透明糸１０の一端部から表地６ａの表面に引き出し、そして、既に表地６ａに添設されている該透明糸１０に並設させ、更に、その端部を表地６ａから裏面側へ向かって挿入し、そして、前記たすき掛け状に配設した部分を裏紙１１等により貼着することにより、表地６ａ表面に並列状に添設された二本の透明糸１０，１０を確実に掛け軸２の表地６ａの表面に添設することもできる。
【００２２】
又、前記透明糸１０の下方部には前記絵葉書１の下辺を掛止するための浅い受溝１２が横方向へ向かって設けられている。該浅い受溝１２は種々の寸法の絵葉書１に対応できるように可及的に長く形成されるを可とする。然るときは、少なくとも絵葉書１の下辺の長短何れの寸法のものでも掛止することが可能となる。従って、上方部の透明糸１０は絵葉書１の各巾寸法に対応できる長さに形成されることにより、種々のサイズの絵葉書１を掛け軸２に容易に掛止して装着でき、且つ、不慮妄脱するようなこともない。
【００２３】
又、上記浅い受溝１２は表地６ａを浅く折り返し、そして、その両端部を貼着することにより中間部に上面が解放されて浅い受溝１２が形成されることができる。然るときは掛け軸２の製造コストも低く抑えることができる。
【００２４】
尚、本発明は、本発明の精神を逸脱しない限り種々の改変を為すことができ、そして、本発明が該改変されたものに及ぶことは当然である。
【図面の簡単な説明】
【００２５】
【図１】本発明の実施例を示し、掛け軸の正面図。
【図２】図１のＡ−Ａ線断面図。
【図３】図１の掛け軸の裏地を取外した状態の背面図。
【図４】縦長の絵葉書を装着した状態を示す掛け軸の正面図。
【図５】正方形状の絵葉書を装着した状態を示す掛け軸の正面図。
【図６】（ａ）（ｂ）（ｃ）は夫々従来例の絵葉書の装着状態を示す掛け軸の一部切欠正面図。
【符号の説明】
【００２６】
１        絵葉書
２        掛け軸
６        基地
６ａ      表地
６ｂ      裏地
１０        透明糸
１２        受溝
【図１】
2006325858.tif 000003
【図２】
2006325858.tif 000004
【図３】
2006325858.tif 000005
【図４】
2006325858.tif 000006
【図５】
2006325858.tif 000007
【図６】
2006325858.tif 000008